(57)【特許請求の範囲】
【請求項１】
前板、後板、左右側板からなり、前記左右側板の略中央にセンターに向かって直立している連結片が接合されている四角柱体と、該四角柱体の内部に一体的に組み込まれ、前後方向に配向する２枚の仕切り板と左右方向に配向する２枚の仕切り板とが井桁状に組み込まれ、それぞれが交差する部分に折線が設けられ、前後方向に配向する２枚の仕切り板の中間にスリットと該スリットを縦断する縦方向の折線が設けられてなる支持体と、該支持体の上端縁に設置される商品載置板とからなり、前記左右側板の前記連結片の先端部を、前後方向に配向して置かれる２枚の前記仕切り板の前記スリットに差し込んで係合することによる連結手段によって、前記支持体が前記四角柱体と連結され、前記四角柱体の前記左右側板をそれぞれの中央縦折線によって内側に折り畳むことによって、前後方向に配向して置かれる２枚の前記仕切り板が同時に内側に折り込まれて前記支持体も連動して折り畳まれることを特徴とする陳列台。
【請求項２】
前記四角柱体の前記後板内面に沿って、展示板が挿着されることを特徴とする請求項１記載の陳列台。
【発明の詳細な説明】
【０００１】
【発明の属する技術分野】
本発明は、ワンタッチ操作で極めて容易に現場組立を可能としたディスプレーパネル付き陳列台に関する。
【０００２】
【従来の技術】
従来から、特定な新商品の販促キャンペーンにあたり、店頭における顧客の商品購入の動機付けに、ＰＯＰ（購買時点）ディスプレイが取り付けられた即席の陳列台が使用されている。これらの陳列台に共通する課題は、コンパクトに折り畳んで現場への搬送を容易にし、且つ現場で容易に、迅速に、組立ができることである。  この課題の解決のために、これまでに種々の提案がなされているが、その一例を挙げれば、実公昭６１−１８０６３号公報に、図６の従来の陳列台の説明図に示すような、縦型の矩形筒Ｃと、その内部に梁として組み込まれる複数の縦板Ｂ，Ｂ’と、縦板の上面縁を支持線として、その支持線上に置かれる座板Ａからなる陳列台（支持台）６０が提案されている。
【０００３】
【発明が解決しようとする課題】
しかるに、実公昭６１−１８０６３号公報で提案されているものは、矩形筒Ｃとその中に井桁状に組み込まれる総ての縦板Ｂ，Ｂ’との連接はなくて、縦板Ｂは別のパーツとして後から組み込まなければならず、組み込みに手間がかかるという問題がある。また矩形筒Ｃの折り畳み方法も、単に矩形筒Ｃをフラットに押し潰すだけであって、かなりの面積を占有し、搬送に問題がある。
本発明は、前述の問題点に鑑みてなされたもので、組立パーツ数を少なくし、現場で容易に、迅速に組立ができ、且つ、極めてコンパクトに折り畳まれた状態で現場に配送可能な、展示板（ディスプレーパネル）取り付け可能な陳列台の提供を目的とする。
【０００４】
【課題を解決するための手段】
前記課題を解決するためになされた本発明の陳列台は、前板、後板、左右側板からなり、前板、後板、左右側板からなり、前記左右側板の略中央にセンターに向かって直立している連結片が接合されている四角柱体と、該四角柱体の内部に一体的に組み込まれ、前後方向に配向する２枚の仕切り板と左右方向に配向する２枚の仕切り板とが井桁状に組み込まれ、それぞれが交差する部分に折線が設けられ、前後方向に配向する２枚の仕切り板の中間にスリットと該スリットを縦断する縦方向の折線が設けられてなる支持体と、該支持体の上端縁に設置される商品載置板とからなり、前記左右側板の前記連結片の先端部を、前後方向に配向して置かれる２枚の前記仕切り板の前記スリットに差し込んで係合することによる連結手段によって、前記支持体が前記四角柱体と連結され、前記四角柱体の前記左右側板をそれぞれの中央縦折線によって内側に折り畳むことによって、前後方向に配向して置かれる２枚の前記仕切り板が同時に内側に折り込まれて前記支持体も連動して折り畳まれることを構成とするものである。さらに、前記四角柱体の前記後板内面に沿って、展示板を挿着することができる。
【０００５】
【発明の実施の形態】
本発明を図面により詳しく説明する。
図１は、本発明による陳列台５０の外観説明図である。
本発明による陳列台５０は、四角柱状のスタンド（以下、四角柱体１０と称する）と、その内部に一体的に組み込まれる井桁状の支持体２０（図１には図示せず）と、その上端縁に接して置かれる商品載置板３０とからなるものであり、また、四角柱体１０の後板に沿って展示板４０を挿着可能としたものである。
商品載置板３０上には商品（点線で示す）が陳列される。
四角柱体１０の上端縁は、四角柱体１０を形成する基材（板紙、段ボール等）がコの字状に折り返されて額縁状端縁５を形成している。これは、四角柱体の剛性の確保とともに、全体にボリューム感を持たせ、また、段ボール等の基材の汚らしい裏面、端面が直視されないようにするためである。
四角柱体１０の底部端縁についても、同様の加工を施しておくことが強度的に、また全体の厚みを揃えるために好ましい。
【０００６】
図２は、本発明による陳列台を構成する各パーツの説明図である。
図２（ａ）は、本発明による陳列台を構成する各パーツの説明図である。
先ず、四角柱体１０は、前板１、左右側板２、３、後板４、からなり、一枚のブランクを用いて成形しても、あるいは前板１、左右側板２、３、後板４用の個別のブランクを繋ぎ合わせて四角柱体１０としてもよい。
四角柱体１０の上部端縁は、ブランク基材が２重の折線で裏面に折り返されて所定の幅を有する額縁状端縁５を形成している。
前板１は、後板４よりも上下寸法が少なく、その分四角柱体１０の上部断面は前傾している。これは、意匠的な観点によるものである。
左右側板２、３には縦中央折線６が、また、四角柱体１０の四隅には２重の折線７が設けられていて、左右側板３、４を縦中央折線６によって内側に半分に折り畳むことによって、四角柱体１０全体をフラットに、しかもコンパクトに折り畳むことができる。
支持体２０は、四角柱体１０の内部に一体的に組み込まれるもので、前後方向に配向する２枚の仕切板１１と左右方向に配向する２枚の仕切り板１２とが井桁状に組み込まれおり、それぞれが交差する部分に折線１３が、また、仕切り板１１の中間にスリット１６と該スリット１６を縦断する縦方向の折線１４が設けられている。
これらの折線１３、１４によって、支持体２０の水平断面形状を、状況に応じて自由に変形させることができる。
商品載置板３０は、一枚のブランクの周辺に折り返し片２１を設けたもので、四角柱体１０の上部から挿入されて、すでに組み込まれている支持体２０の各仕切り板１１、１２の端縁に接して置かれるものである。
この商品載置板３０を挿入することによって、四角柱体１０の形状を安定させる効果も持ち合わせている。
展示板４０は、いわゆるディスプレーパネルとして四角柱体１０の後板内面に沿って四角柱体１０内に挿着されるが、例えば、展示板４０の下端部に設けられている突出部３１を商品載置板３０の後側の一辺に設けられている差し込みスリット２２に差し込んで固定する手段を採用してもよい。
展示板４０の形状、大きさは自由である。また、両側に折り返し片３２を設けて基材の端面を見えなくする等の意匠上の措置をとることも自由である。
【０００７】
図３は、一体的に組み込まれた四角柱体と支持体の斜視図である。
支持体２０は、図３に示すように、四角柱体１０の内部に一体的に組み込まれ、且つ、四角柱体１０と連動してフラットに折り畳むことができ、折り畳まれた状態で使用現場に供給することができる。従って、使用現場では、フラットに折り畳まれた四角柱体１０を起こして四角柱状に成形すれば、支持体２０も同時に成形され、あとは商品載置板３０、と展示板４０を組み込むだけでよく、極めて容易なワンタッチ操作で短時間で組立を完了させることができる。
【０００８】
図４は、本発明による陳列台の内部構造を示す水平断面図である。
図４（ａ）は、本発明による陳列台５０が組立られ、連結手段の緊張状態の係合が維持されている状態図である。
図４（ａ）に示すように、四角柱体１０の左右側板２、３の略中央に接合され四角柱体１０のセンターに向かって直立している連結片８の先端部Ｔと、前後方向に配向している仕切り板１１の中間に設けられている矩形状のスリット１６とが係合している。この状態で、支持体２０の当初井桁状であった断面形状は変形するが、支持体２０としての機能を果たす上で何ら不都合は生じない。
なお、四角柱体１０と支持体２０の底部における端縁は、同一平面におかれている。
図４（ｂ）は、本発明による陳列台５０を折り畳むあるいは組み立てる途中の状態図で、連結手段が緩んだ係合状態にある状態図である。
図４（ｂ）に示すように、四角柱体１０が左右の中央縦折線６によって内側に折り畳まれると、それに連動して支持体２０を構成する各仕切り板１１、１２もフラットな形状にまで折り畳まれる。この状態では、連結手段は緩い係合状態に変わっている。
以上の内部構造によって、本発明による陳列台５０は、左右側板２、３を中央縦折線６によって中折れ状態で折り畳むことによって、全体をフラットに、しかもコンパクトに、後板の面積を越えない範囲で折り畳むことができる。
あとは、商品載置板３０と展示板４０を添えれば、組立に必要なパーツはすべてコンパクトな荷姿に揃えることができる。
【０００９】
図５は、本発明による陳列台の四角柱体と支持体の連結手段の補足説明図である。
本発明による連結手段の模様を図５によってさらに説明する。
図５（ａ）は、図４（ａ）に相当する緊張した係合時の状態図であり、図５（ｃ）は、図５（ａ）の側面図である。
図５（ｂ）は、図４（ｂ）に相当する緩んだ係合時の状態図である。
図５の各図に示すように、連結片８の中間部はスリット１６を自由に通過できるが、連結片８の先端部Ｔは、その幅が、スリットの長手方向の幅よりも大きいために、一旦スリット１６に組み込まれた連結片８はスリット１６から抜け出せないようになっている。なお、広幅の先端部Ｔをスリット１６に通すには、先端部Ｔの左右の突出片９を折線ａで通過時だけ内側に折り畳めばよい。
従って、あらかじめ井桁状に組み込んだ支持体２０を連結片８と支持体２０が有するスリット１６との係合による連結手段によって、四角柱体１０内に一体的に組み込むことができる。
【００１０】
本発明による陳列台に使用する基材は大型の場合はＡ，Ｂフルート段ボールとなるが、通常、Ｅフルート段ボールあるいは板紙の使用が好ましい。
段ボールを使用する場合は、表面に現れる部分について化粧を施すことが望ましい。白ライナ、カラーライナを使用する段ボールに対しては、プリンタースロッターによるフレキソ印刷方式が最適であるが、フレキソ印刷等でプレプリントしたライナー原紙をコルゲート加工してもよく、また予め印刷した薄葉紙をラミネートするいわゆる合紙方式を採用してもよい。この薄葉紙への印刷の自由度は大きくオフセット、グラビア、フレキソ等の周知のいかなる印刷方法によってもよい。
【００１１】
【発明の効果】
本発明による陳列台５０によれば、四角柱体１０のスタンドとその内部に組み込まれた支持体２０を一緒に、連動して折り畳むことができるのでコンパクトな荷姿で使用現場に届けることが可能になる。
また、現場における組立においては、組立パーツの数が少なく、しかもワンタッチに近い操作で組立を行うことができ、時間と労力を節約することができる。
四角柱体１０の上端は額縁状を呈し、基材の裏面あるいは端面が客の目に触れないような配慮がなされているので、意匠的にも、外観的にも優れたものを提供することができる。
本発明による陳列台は、食品、飲料、化粧品、医薬品、医薬部外品、一般生活用品等幅広い商品を対象として、通常の新製品の販売促進はもとより、生活歳時や各種イベントに合わせた販促ツールとしての利用が可能である。
さらに、本発明による陳列台は、総て紙製であるため、使用後の廃棄性に優れ、環境負荷を下げることができる。
【図面の簡単な説明】
【図１】本発明による陳列台５０の外観説明図
【図２】本発明による陳列台を構成する各パーツの説明図である。
【図３】一体的に組み込まれた四角柱体と支持体の斜視図
【図４】本発明による陳列台の内部構造を示す水平断面図
【図５】本発明による陳列台の四角柱体と支持体の連結手段の補足説明図
【図６】従来の陳列台の説明図
【符号の説明】
１    前板
２、３    左右側板
４    後板
５    額縁状端縁
６    中央縦折線
７    ２重折線
８    連結片
９    突出片
１０    四角柱体
１１    前後方向の仕切り板
１２    左右方向の仕切り板
１３、１４    折線
１６    スリット
２０    支持体
２１    折り返し片
２２    差し込みスリット
３０    商品載置板
３１    突出片
３２    折り返し片
４０    展示板
５０    本発明による陳列台
６０    従来の陳列台（支持台）
Ｔ    先端部
【図１】
0004249294.tif 000002
【図２】
0004249294.tif 000003
【図３】
0004249294.tif 000004
【図４】
0004249294.tif 000005
【図５】
0004249294.tif 000006
【図６】
0004249294.tif 000007